(57)【要約】【課題】着用者の腸腰筋をサポートできるおむつカバーを提供する。【解決手段】前後方向ｙに前方部Ｆと後方部Ｂとこれらの間に位置する中間部Ｍと、後方部Ｂから幅方向ｘに延在する右ウェスト部２と左ウェスト部３と、前方部Ｆから幅方向ｘに延在する右フラップ部４と左フラップ部５とを有するおむつカバー１であって、右フラップ部４と左フラップ部５に各々第１留め具６が設けられ、右フラップ部４と左フラップ部５と中間部Ｍは伸縮可能であり、第１留め具６は、右フラップ部４と左フラップ部５が伸張状態で、着用者の背側に固定可能であることを特徴とするおむつカバー。【選択図】図１
2011200636.tif 000002
【特許請求の範囲】
【請求項１】
前後方向に前方部と後方部とこれらの間に位置する中間部と、前記後方部から幅方向に延在する右ウェスト部と左ウェスト部と、前記前方部から幅方向に延在する右フラップ部と左フラップ部とを有するおむつカバーであって、
前記右フラップ部と前記左フラップ部に各々第１留め具が設けられ、
前記右フラップ部と前記左フラップ部と前記中間部は伸縮可能であり、
前記第１留め具は、前記右フラップ部と前記左フラップ部が伸張状態で、着用者の背側に固定可能であることを特徴とするおむつカバー。
【請求項２】
前記第１留め具は、着用者の背側の骨盤上で固定可能である請求項１に記載のおむつカバー。
【請求項３】
前記右ウェスト部と前記左ウェスト部は伸縮可能であり、前記右ウェスト部と前記左ウェスト部の一方または両方に第２留め具が設けられ、
前記おむつカバーは、前記右ウェスト部と前記左ウェスト部とが着用者の腸骨陵を覆って、前記第２留め具により互いに連結されることにより着用可能である請求項１または２に記載のおむつカバー。
【請求項４】
前記第１留め具は、着用者の背側に、背骨から着用者の胴回りの長さの５％以上２０％以下の領域に固定可能である請求項１〜３のいずれか一項に記載のおむつカバー。
【請求項５】
前記右フラップ部と前記左フラップ部と前記中間部は、前記前後方向の伸び率が前記幅方向の伸び率よりも大きい請求項１〜４のいずれか一項に記載のおむつカバー。
【請求項６】
前記右フラップ部と前記左フラップ部は前記中間部よりも伸び率が大きい請求項１〜５のいずれか一項に記載のおむつカバー。
【請求項７】
前記右ウェスト部と前記左ウェスト部は前記後方部よりも伸び率が大きい請求項１〜６のいずれか一項に記載のおむつカバー。
【請求項８】
前記第１留め具は所定の幅を有する略直線形状であり、
前記第１留め具は、略直線形状が、おむつカバーの前後方向の前方かつ幅方向の内方に向かうように設けられている請求項１〜７のいずれか一項に記載のおむつカバー。
【請求項９】
前記右ウェスト部と前記左ウェスト部の両方に第２留め具が設けられ、
前記右ウェスト部と前記左ウェスト部の一方の端部が、他方の端部よりも前記前後方向の前方に位置することにより、前記右ウェスト部と前記左ウェスト部が前記前後方向にずれて固定可能である請求項１〜８のいずれか一項に記載のおむつカバー。
【請求項１０】
前記右ウェスト部と前記左ウェスト部の両方に第２留め具が設けられ、
前記右ウェスト部の前記第２留め具より幅方向内方に、前記左ウェスト部が挿通可能である開口、および／または、前記左ウェスト部の前記第２留め具より幅方向内方に、前記右ウェスト部が挿通可能である開口が設けられている請求項１〜８のいずれか一項に記載のおむつカバー。
【請求項１１】
請求項１〜１０のいずれか一項に記載のおむつカバーの着用方法であって、
前記第１留め具を、前記右フラップ部と前記左フラップ部が伸張状態で、着用者の背側に固定することを特徴とするおむつカバーの着用方法。
【発明の詳細な説明】
【技術分野】
【０００１】
本発明は、おむつカバーに関するものである。
【背景技術】
【０００２】
従来、おむつカバーとして、前後方向の後方部から幅方向に延在する右ウェスト部と左ウェスト部と、前後方向の前方部から幅方向に延在する右フラップ部と左フラップ部を有するものが知られている。このようなおむつカバーは、左右ウェスト部を着用者の腰回りに固定し、左右フラップ部を着用者の腹側に固定して着用する。例えば、特許文献１には、前後方向の後方部から幅方向に延在する右ウェスト部と左ウェスト部と、前後方向の前方部から幅方向に延在する右フラップ部と左フラップ部を有し、左右ウェスト部と左右フラップ部が伸縮可能なおむつカバーが開示されている。
【先行技術文献】
【特許文献】
【０００３】
【特許文献１】特開２００６−４２８６３号公報
【発明の概要】
【発明が解決しようとする課題】
【０００４】
ところで、おむつの着用が必要な高齢者においては、足腰が弱り、階段の上り下りや１人での歩行が困難になったりして、日常生活に支障を来す場合が多々見られる。また、筋肉の衰えにより体幹を起立させることが困難になると、行動範囲が狭くなったりして、身体の運動機能の維持の点で悪循環になるおそれがある。直立姿勢や歩行を司る筋肉としては、例えば、脚の付け根付近から腰の背側および背中にかけて延びている腸腰筋が知られている。しかし、特許文献１に開示されるようなおむつカバーでは、足腰の衰えを補ったり強化することは難しい。
【０００５】
本発明は前記事情に鑑みてなされたものであり、その目的は、着用者の腸腰筋をサポートできるおむつカバーを提供することにある。
【課題を解決するための手段】
【０００６】
前記課題を解決することができた本発明のおむつカバーとは、前後方向に前方部と後方部とこれらの間に位置する中間部と、後方部から幅方向に延在する右ウェスト部と左ウェスト部と、前方部から幅方向に延在する右フラップ部と左フラップ部とを有するおむつカバーであって、右フラップ部と左フラップ部に各々第１留め具が設けられ、右フラップ部と左フラップ部と中間部が伸縮可能であり、第１留め具が、右フラップ部と左フラップ部が伸張状態で、着用者の背側に固定可能であるところに特徴を有する。
【０００７】
本発明のおむつカバーは、右フラップ部と左フラップ部と中間部が伸縮可能であり、第１留め具が、右フラップ部と左フラップ部が伸張状態で着用者の背側に固定可能であるため、着用者の脚の付け根付近から腹側のそけい部周辺を通って腰の背側付近にかけて、張力が付与される。その結果、着用者の腸腰筋が、おむつカバーにより補強される。本発明のおむつカバーは、着用者が起立した状態では、骨盤を前傾位置に保つように作用するとともに、腸腰筋をサポートして、着用者が直立姿勢をとりやすいように補助する。着用者が上体を前後左右に折り曲げたりした場合には、おむつカバーが腰の動きに対して負荷として作用し、腸腰筋が鍛えられる。そのため、おむつが必要な高齢者であっても、本発明のおむつカバーを着用することにより、足腰の衰えを抑えることができる。
【０００８】
第１留め具は、着用者の背側の骨盤上で固定可能であることが好ましい。第１留め具が、右フラップ部と左フラップ部の伸張状態で、着用者の背側の骨盤上で固定されれば、おむつカバーの張力により着用者の脚の付け根付近から腰の背側付近にかけての骨盤の領域が確実にサポートされ、着用者が起立状態を保ちやすくなる。
【０００９】
第１留め具は、着用者の背側に、背骨から着用者の胴回りの長さの５％以上２０％以下の領域に固定可能であることが好ましい。第１留め具をこのような領域に固定すれば、腸腰筋がおむつカバーによって確実にサポートされやすくなる。
【００１０】
右フラップ部と左フラップ部と中間部は、前後方向の伸び率が幅方向の伸び率よりも大きいことが好ましい。右フラップ部と左フラップ部と中間部の前後方向の伸び率が幅方向の伸び率よりも大きければ、着用者のそけい部周辺から腰の背側にかけての部分が、おむつカバーにより効果的にサポートされるようになる。
【００１１】
右フラップ部と左フラップ部は中間部よりも伸び率が大きいことが好ましい。この場合、おむつカバーは、着用者の股間部分に比べそけい部周辺で張力が高くなる。従って、おむつカバーの股間部分の着用感が向上するとともに、おむつカバーが、着用者のそけい部周辺から腰の背側にかけて効果的にサポートできるようになる。また、おむつカバーを着用する際、中間部に、尿パッド等のおむつを、縒れたり折れ曲がることなく固定することが容易になる。
【００１２】
第１留め具は所定の幅を有する略直線形状であり、第１留め具は、略直線形状が、おむつカバーの前後方向の前方かつ幅方向の内方に向かうように設けられていることが好ましい。このように第１留め具が設けられることにより、着用者は、左右フラップ部を着用者の左右方向に拡張させながら左右フラップ部を着用者の上方向に引っ張り上げやすくなり、着用者の股間から腹側のそけい部周辺を通って着用者の背側にかけて、おむつカバーに張力を付与しやすくなる。
【００１３】
右ウェスト部と左ウェスト部は伸縮可能であり、右ウェスト部と左ウェスト部の一方または両方に第２留め具が設けられ、おむつカバーは、右ウェスト部と左ウェスト部とが着用者の腸骨陵を覆って、第２留め具により互いに連結されることにより着用可能であることが好ましい。左右ウェスト部がこのように構成されていれば、左右ウェスト部により骨盤の両側が覆われて骨盤が固定され、腰痛の原因となる骨盤の開きや歪みが矯正されたり防止されやすくなる。
【００１４】
右ウェスト部と左ウェスト部は後方部よりも伸び率が大きいことが好ましい。後方部が左右ウェスト部よりも伸び率が小さければ、左右フラップ部の第１留め具を後方部かその近辺に固定することで、第１留め具を着用者の背側の所望する位置に固定させることが容易になる。その結果、着用者の腸腰筋が、おむつカバーにより確実に補強されやすくなる。
【００１５】
おむつカバーは、右ウェスト部と左ウェスト部の両方に第２留め具が設けられ、右ウェスト部と左ウェスト部の一方の端部が、他方の端部よりも前後方向の前方に位置することにより、右ウェスト部と左ウェスト部が前後方向にずれて固定可能であるものが好ましい。おむつカバーはまた、右ウェスト部と左ウェスト部の両方に第２留め具が設けられ、右ウェスト部の第２留め具より幅方向内方に左ウェスト部が挿通可能である開口、および／または、左ウェスト部の第２留め具より幅方向内方に右ウェスト部が挿通可能である開口が設けられているものも好ましい。左右ウェスト部がこのように構成されていれば、左右ウェスト部の両方を引っ張りながら、左右ウェスト部を着用者の腰回りに固定することができる。従って、左右ウェスト部により腰回りのフィット性を高めることが容易になり、左右ウェスト部によって骨盤を固定しやすくなる。
【００１６】
本発明はまた、本発明のおむつカバーの着用方法であって、第１留め具を、右フラップ部と左フラップ部が伸張状態で、着用者の背側に固定することを特徴とするおむつカバーの着用方法を提供する。本発明のおむつカバーの着用方法によれば、着用者の脚の付け根付近から腹側のそけい部周辺を通って腰の背側付近にかけて張力が付与され、その結果、着用者の腸腰筋がおむつカバーにより補強されるようになる。そのため、おむつが必要な高齢者であっても、本発明のおむつカバーの着用方法に従いおむつカバーを着用することにより、足腰の衰えを抑えることができる。
【発明の効果】
【００１７】
本発明のおむつカバーは、着用者の腸腰筋をサポートできる。
【図面の簡単な説明】
【００１８】
【図１】本発明のおむつカバーの一実施態様を表す。
【図２】本発明のおむつカバーにおける第１留め具の設置例を表す。
【図３】図１に示したおむつカバーの着用方法の例を表す。
【図４】図１に示したおむつカバーの着用時の形状を表す。図４（ａ）は着用者の前側から見たおむつカバーを表し、図４（ｂ）は着用者の後側から見たおむつカバーを表す。
【図５】本発明のおむつカバーの他の一実施態様を表す。
【図６】図５に示したおむつカバーの着用方法の例を表す。
【図７】本発明のおむつカバーの他の一実施態様を表す。
【図８】図７に示したおむつカバーの着用方法の例を表す。
【発明を実施するための形態】
【００１９】
本発明のおむつカバーについて、図面を参照して説明する。なお、本発明のおむつカバーは、図面に示された実施態様に限定されるものではない。図１は、本発明のおむつカバーの一例を表す。図では、矢印ｘを幅方向、矢印ｙを前後方向と定義付ける。
【００２０】
おむつカバー１は、前後方向ｙと幅方向ｘとを有する。前後方向ｙとは、おむつカバーを着用者が着用した際、着用者の股間の前後方向に延びる方向を意味する。図１において、下側が前方に相当し、上側が後方に相当する。幅方向ｘとは、おむつカバーと同一面上にあり、前後方向ｙと直交する方向を意味する。幅方向ｘは、おむつカバーを着用者が着用した際、着用者の左右方向に相当する。おむつカバー１は、また、おむつカバーを着用した際の着用者側に位置する内面と、おむつカバーを着用した際の着用者とは反対側に位置する外面とを有する。
【００２１】
おむつカバー１は、前後方向ｙに前方部Ｆと後方部Ｂとこれらの間に位置する中間部Ｍとを有する。前方部Ｆとは、おむつカバー１の前後方向ｙの一方端に形成され、おむつカバー着用時に着用者の腹側に当てる部分を意味する。後方部Ｂとは、おむつカバー１の前後方向ｙの他方端に形成され、おむつカバー着用時に着用者の背側に当てる部分を意味する。中間部Ｍとは、前方部Ｆと後方部Ｂとの間に位置し、着用者の股間に当てる部分を意味する。なお、本発明において、前方部Ｆ、中間部Ｍ、後方部Ｂは、後記する右ウェスト部２、左ウェスト部３、右フラップ部４、左フラップ部５を含まない部分と規定する。図１では、前方部Ｆ、中間部Ｍ、後方部Ｂ、右ウェスト部２、左ウェスト部３、右フラップ部４、左フラップ部５を、便宜的に点線で区分して表示している。
【００２２】
前方部Ｆ、中間部Ｍ、および後方部Ｂは、例えば、それぞれおむつカバー１の前後方向ｙの長さの３０％、３０％、および４０％の領域を占める。図１に示されるおむつカバー１では、前方部Ｆ、中間部Ｍ、および後方部Ｂは、このような割合で分割されている。
【００２３】
おむつカバー１は、後方部Ｂから幅方向ｘに延在する右ウェスト部２と左ウェスト部３とを有する。右ウェスト部２と左ウェスト部３は、おむつカバー１の着用時にそれぞれ着用者の右側と左側の腰回りに当てる部分である。図１では、図面の右側が、おむつカバーの着用時に着用者の左側に位置し、図面の左側が、おむつカバーの着用時に着用者の右側に位置する。従って、図１では、おむつカバーの内面が見えるように、おむつカバーが示されている。おむつカバー１は、着用時、右ウェスト部２と左ウェスト部３と後方部Ｂとで着用者の腰回りを覆う。おむつカバー１は、着用の際、右ウェスト部２と左ウェスト部３が幅方向ｘに重なる部分の長さが、着用者の腰回りの周長の１０％〜６０％程度（より好ましくは、２０％〜５０％程度）となるように着用することが好ましい。
【００２４】
おむつカバー１は中間部Ｍが最も幅方向ｘに狭く形成される。左右ウェスト部２，３は、中間部Ｍの最も幅狭な部分の外縁より幅方向ｘの外方に位置する部分に相当する。右ウェスト部２と左ウェスト部３は、少なくとも後方部Ｂから幅方向ｘに延在していればよく、さらに中間部Ｍから幅方向ｘに延在していてもよい。
【００２５】
おむつカバー１は、前方部Ｆに、幅方向ｘに延在する右フラップ部４と左フラップ部５とを有する。右フラップ部４と左フラップ部５は、おむつカバー１の着用時に、前方部Ｆとともに着用者の腹部を覆う部分である。右フラップ部４と左フラップ部５は、おむつカバー１の着用時、着用者の背側にまで達する。左右フラップ部４，５は、中間部Ｍの最も幅狭な部分の外縁より幅方向ｘの外方に位置する部分に相当する。左右フラップ部４，５は、少なくとも前方部Ｆから幅方向ｘに延在していればよく、さらに中間部Ｍから幅方向ｘに延在してもよい。
【００２６】
右フラップ部４と左フラップ部５には、各々第１留め具６が設けられる。以下、右フラップ部に設けられる第１留め具を表す符号として「６Ｒ」を用い、左フラップ部に設けられる第１留め具を表す符号として「６Ｌ」を用いる場合がある。おむつカバー１を着用する際は、着用者の腰回りに装着された左右ウェスト部２，３または後方部Ｂに、左右フラップ部４，５を第１留め具６により接合する。
【００２７】
左右フラップ部４，５の第１留め具６は、左右ウェスト部２，３または後方部Ｂの外面に接合可能に設けられることが好ましい。第１留め具は、例えば、左右フラップ部４，５の内面に設けられたり、左右フラップ部４，５の幅方向ｘの端部から延出するように設けられてもよい。左右フラップ部４，５の取り扱い性を高める点からは、第１留め具は、図１に示すように、右フラップ部４の内面と左フラップ部５の内面に設けられることが好ましい。
【００２８】
第１留め具６が左右フラップ部４，５の内面に設けられる場合、第１留め具６は、左右フラップ部４，５の幅方向ｘの端部から１００ｍｍ以内（より好ましくは８０ｍｍ以内であり、さらに好ましくは５０ｍｍ以内）の領域に設けられることが好ましい。このように第１留め具６が設けられれば、左右フラップ部４，５の幅方向ｘの端部を掴みながら、第１留め具６を左右ウェスト部２，３または後方部Ｂに接合することができ、おむつカバー１の着用が容易になる。また、左右フラップ部４，５の幅方向ｘの端部を掴んで、左右フラップ部４，５を着用者の左右方向に引っ張ることが容易になるため、おむつカバー１を着用する際、おむつカバー１の着用者へのフィット性を高めやすくなる。
【００２９】
第１留め具としては、フック・ループ・ファスナーのフック部材やループ部材、粘着剤（例えば、粘着テープ、粘着剤層）、フック（例えば、金属製のフックやプラスチック製のフック）等を用いればよい。第１留め具としてフックファスナー（フック・ループ・ファスナーのフック部材）を用いる場合は、左右ウェスト部および／または後方部にフック・ループ・ファスナーのループ部材を設けたり、左右ウェスト部および／または後方部をループ部材として機能する材料（例えば、不織布、織布、編布等）で構成することが好ましい。第１留め具として粘着剤を用いる場合は、左右ウェスト部および／または後方部にプラスチックフィルムを設けたり、左右ウェスト部および／または後方部をプラスチックフィルムで構成することが好ましい。第１留め具としてフックを用いる場合は、左右ウェスト部および／または後方部にフックが係合可能なループ形状の部材を設けたり、左右ウェスト部および／または後方部にフックが係合可能なスリットを形成することが好ましい。この場合、ループ形状の部材やスリットを複数設け、着用者の体型に合わせてフックの係合箇所が調整可能となることが好ましい。これらの中でも、第１留め具としては、フックファスナーを用いることが好ましい。フックファスナーとしては、例えば、錨形や鉤形やきのこ型等の形状のフックを多数表面に有する部材を採用すればよい。
【００３０】
第１留め具の形状、すなわち左右フラップ部の第１留め具が設けられる部分の領域の形状は特に限定されないが、前後方向ｙに長い形状であることが好ましい。第１留め具が前後方向ｙに長い形状であるとは、第１留め具の前後方向ｙの長さが幅方向ｘの長さよりも長いことを意味する。第１留め具は前後方向ｙに平行に設けられる必要はなく、前後方向ｙに対し斜めに設けられていてもよい。第１留め具が前後方向ｙに長い形状であれば、左右フラップ部が幅広く留められ、左右フラップ部を着用者の背側に安定して固定しやすくなる。第１留め具の形状としては、例えば、直線、長方形、楕円形、角の丸まった長方形、不定形等が挙げられ、所定の幅を有する略直線形状が好ましい。
【００３１】
図１に示されるように、第１留め具６は所定の幅を有する略直線形状であり、第１留め具６は、略直線形状が、おむつカバー１の前後方向ｙの前方かつ幅方向ｘの内方に向かうように設けられていることが好ましい。すなわち、第１留め具６は、略直線形状が、前後方向ｙの前方側が幅方向ｘの内方に位置するように設けられることが好ましい。このように第１留め具６が設けられることにより、着用者が左右フラップ部４，５を第１留め具６の略直線形状が延びる方向と垂直方向に引っ張った場合、着用者は、左右フラップ部４，５を着用者の左右方向に拡張させながら左右フラップ部４，５を着用者の上方向に引っ張り上げやすくなり、着用者の股間から腹側のそけい部周辺を通って着用者の背側にかけて、おむつカバー１に張力を付与しやすくなる。
【００３２】
第１留め具は、右フラップ部と左フラップ部に各々複数設けられてもよい。このように第１留め具が設けられることにより、第１留め具の全ての接合が一度には外れにくくなり、左右フラップ部が着用者の背側に安定して固定されやすくなる。
【００３３】
図２（ａ）〜（ｅ）には、図１のおむつカバー１の右フラップ部４を例に挙げ、第１留め具６が複数設けられる場合の設置例を示す。図２（ａ）では、前後方向ｙに長い形状の第１留め具６が幅方向ｘに並んで複数設けられている。図２（ｂ）に示すように、第１留め具６は各々が幅方向ｘに長い形状を有し、これらが前後方向ｙに並んで複数設けられてもよい。図２（ｃ），（ｄ）に示すように、第１留め具６は右フラップ部４の端部の縁に沿って複数設けられてもよい。また、図２（ｅ）に示すように、所定形状の第１留め具６が右フラップ部４の端部に縦横に並んで設けられてもよい。
【００３４】
第１留め具はまた、図２（ｆ）に示されるように、右フラップ部の端部または左フラップ部の端部の縁に沿って弧を描くように設けられてもよい。第１留め具がこのような形状で設けられることにより、左右フラップ部の端部に設けられた第１留め具が不用意に他の部材に接合したり、着用者の肌に当たったりしにくくなり、左右フラップ部の取り扱い性が向上する。
【００３５】
おむつカバー１は、右フラップ部４と左フラップ部５が伸縮可能であり、第１留め具６が、右フラップ部４と左フラップ部５が伸張した状態で着用者の背側に固定可能に設けられる。すなわち、右フラップ部４と左フラップ部５は、伸張状態で第１留め具６が着用者の背側まで達するだけの長さを有する。右フラップ部４と左フラップ部５は、少なくとも幅方向ｘに対して伸張可能であることが好ましい。
【００３６】
右フラップ部４の第１留め具６Ｒは着用者の右側の背側に固定可能であり、左フラップ部５の第１留め具６Ｌは着用者の左側の背側に固定可能である。着用者の背側とは、着用者の背骨（具体的には、背骨の中心線）から着用者の胴回りの長さの２５％未満の領域（すなわち、左右合わせて５０％未満の領域）を意味する。なお、背骨の中心線とは、着用者が起立した状態で、上下方向に伸びる中心線を意味する。
【００３７】
おむつカバー１は、右フラップ部４と左フラップ部５とに加え、中間部Ｍが伸縮可能である。右フラップ部４と左フラップ部５と中間部Ｍが伸縮可能であれば、左右フラップ部４，５を着用者の背側に固定することで、着用者の股間から腹側のそけい部周辺を通って着用者の背側にかけて、おむつカバー１に張力が付与される。中間部Ｍは、少なくとも前後方向ｙに対して伸張可能であることが好ましい。また、右フラップ部４と左フラップ部５と中間部Ｍは、着用者の大腿部を囲む部分が伸縮可能であることが好ましい。さらに、前方部Ｆも伸縮可能であってもよい。
【００３８】
本発明のおむつカバーは、右フラップ部と左フラップ部と中間部が伸縮可能であり、第１留め具が、右フラップ部と左フラップ部が伸張状態で着用者の背側に固定可能であるため、着用者の脚の付け根付近から腹側のそけい部周辺を通って腰の背側付近にかけて、張力が付与される。その結果、着用者の腸腰筋がおむつカバーにより補強される。腸腰筋は、大腰筋や腸骨筋等から構成され、腰椎と大腿骨の小転子とを結ぶ筋肉群である。すなわち、腸腰筋は、脚の付け根付近から骨盤で囲まれる空間を通って腰の背側および背中にかけて延びている。腸腰筋は、直立姿勢、歩行、走行に重要な役割を果たし、腸腰筋の機能が低下すると、例えば、体幹を起立させることが困難となったり、１人での歩行が困難となったり、階段の上り下りに支障を来したりする。特に、おむつの着用が必要な高齢者では、腸腰筋の機能低下により足腰が弱ったりして、日常生活に支障を来す場合が多々見られる。本発明のおむつカバーは、着用者が起立した状態では骨盤を前傾位置に保つように作用するとともに、腸腰筋をサポートして着用者が直立姿勢をとりやすいように補助する。着用者が上体を前後左右に折り曲げたりした場合には、おむつカバーが腰の動きに対して負荷として作用し、腸腰筋が鍛えられる。そのため、おむつが必要な高齢者であっても、本発明のおむつカバーを着用することにより、足腰の衰えを抑えることができる。
【００３９】
第１留め具は、好ましくは、着用者の背側の骨盤上で固定可能に設けられる。第１留め具が、右フラップ部と左フラップ部の伸張状態で、着用者の背側の骨盤上で固定されれば、おむつカバーの張力により着用者の脚の付け根付近から腰の背側付近にかけての骨盤の領域が確実にサポートされ、着用者が起立状態を保ちやすくなる。
【００４０】
第１留め具はまた、着用者の背側に、背骨から着用者の胴回りの長さの５％以上２０％以下の領域に固定可能であることが好ましい。第１留め具を前記領域に固定すれば、おむつカバーによって腸腰筋を確実にサポートしやすくできる。第１留め具は、より好ましくは、背骨から着用者の胴回りの長さの８％以上１５％以下の領域に固定可能である。
【００４１】
本発明のおむつカバーにおいて、左右フラップ部や中間部のような伸縮可能な部分は、引張荷重に対し変形し、その変形を元に戻そうとする力を示すものであれば、特に限定されない。伸縮可能な部分は、少なくとも１．１倍（より好ましくは、１．２倍、さらに好ましくは１．５倍）に伸張しても、ほぼ元の長さに戻ることが好ましく、前記伸張範囲で降伏点を有しないものが好ましい。
【００４２】
左右フラップ部および中間部は、ＪＩＳ  Ｌ  １０１８  ８．１４に規定される伸び率が５％以上が好ましく、１０％以上がより好ましく、６０％以下が好ましく、５０％以下がより好ましい。左右フラップ部および中間部の伸び率が５％〜６０％の範囲にあれば、おむつカバーの装着時の操作性が向上するとともに、左右フラップ部および中間部により着用者のそけい部周辺から腰の背側にかけての部分が補強される効果が発揮されやすくなる。
【００４３】
前記伸び率は、定荷重時伸び率を意味し、カットストリップ法により測定される。伸び率は、幅２．５ｃｍ、長さ２０ｃｍの試験片を、引張試験機により引っ張ることにより測定する。具体的には、試験片を、つかみ間隔１０ｃｍ（Ｌ0）となるように、引張試験機の上下方向に配置されたつかみ具に固定し、２２．１Ｎ（２．２５ｋｇｆ）の荷重を加えて１分間放置した後の試験片のつかみ間隔の距離（Ｌ1）を測定する。伸び率Ｅｐ（％）は、Ｅｐ＝（Ｌ1−Ｌ0）／Ｌ0×１００により算出する。
【００４４】
おむつカバーは、右フラップ部と左フラップ部が中間部よりも伸び率が大きいことが好ましい。右フラップ部と左フラップ部が中間部よりも伸び率が大きければ、おむつカバーは、着用者の股間部分に比べそけい部周辺で張力が高くなる。従って、おむつカバーの股間部分の着用感が向上するとともに、おむつカバーが、着用者のそけい部周辺から腰の背側にかけて効果的にサポートできるようになる。また、おむつカバーを着用する際、中間部に、尿パッド等のおむつを、縒れたり折れ曲がることなく固定することが容易になる。
【００４５】
右フラップ部と左フラップ部と中間部は、前後方向ｙの伸び率が幅方向ｘの伸び率よりも大きいことが好ましい。右フラップ部と左フラップ部と中間部の前後方向ｙの伸び率が幅方向ｘの伸び率よりも大きければ、着用者のそけい部周辺から腰の背側にかけての部分が、おむつカバーにより効果的にサポートされるようになる。
【００４６】
右フラップ部と左フラップ部と中間部の、幅方向ｘと前後方向ｙに対するそれぞれの伸び率の好ましい範囲の一例を示すと、左右フラップ部の、幅方向ｘの伸び率は５％〜３０％の範囲にあることが好ましく、前後方向ｙの伸び率は１５％〜３０％の範囲にあることが好ましい。
【００４７】
右ウェスト部２と左ウェスト部３の一方または両方には、第２留め具７が設けられることが好ましい。以下、右ウェスト部に設けられる第２留め具を表す符号として「７Ｒ」を用い、左ウェスト部に設けられる第２留め具を表す符号として「７Ｌ」を用いる場合がある。おむつカバー１は、右ウェスト部２と左ウェスト部３とが、第２留め具７により互いに連結されることにより着用可能に形成されることが好ましく、その結果、左右ウェスト部２，３が着用者の腰回りに固定されることとなる。図１では、右ウェスト部２にのみ第２留め具７Ｒが設けられる実施態様を示しており、右ウェスト部２を第２留め具７Ｒにより左ウェスト部３または後方部Ｂに接合することにより、左右ウェスト部２，３が着用者の腰回りに固定される。
【００４８】
右ウェスト部２の第２留め具７Ｒは、左ウェスト部３の外面または後方部Ｂの外面に接合可能に設けられることが好ましい。また、左ウェスト部３の第２留め具７Ｌは、右ウェスト部２の外面または後方部Ｂの外面に接合可能に設けられることが好ましい。第２留め具は、例えば、左右ウェスト部２，３の内面に設けられたり、左右ウェスト部２，３の幅方向ｘの端部から延出するように設けられてもよい。左右ウェスト部の取り扱い性を高める点からは、第２留め具は、右ウェスト部の内面および／または左ウェスト部の内面に設けられることが好ましい。
【００４９】
第２留め具７が左右ウェスト部２，３の内面に設けられる場合、第２留め具７は、左右ウェスト部２，３の幅方向ｘの端部から１００ｍｍ以内（より好ましくは８０ｍｍ以内であり、さらに好ましくは５０ｍｍ以内）の領域に設けられることが好ましい。このように第２留め具７が設けられれば、左右ウェスト部２，３の幅方向ｘの端部を掴みながら、第２留め具７を左右ウェスト部２，３または後方部Ｂに接合することができ、おむつカバー１の着用が容易になる。
【００５０】
第２留め具としては、第１留め具に使用可能な部材を用いることができ、フックファスナーを用いることが好ましい。第２留め具の接合対象となる左右ウェスト部２，３または後方部Ｂに設けられる部材、または左右ウェスト部２，３または後方部Ｂを構成する材料は、第１留め具の接合対象に用いられる部材または材料を用いることができる。
【００５１】
第２留め具の形状、すなわち左右ウェスト部２，３の第２留め具が設けられる領域の形状は特に限定されないが、前後方向ｙに長い形状であることが好ましい。第２留め具が前後方向ｙに長い形状であるとは、第２留め具の前後方向ｙの長さが幅方向ｘの長さよりも長いことを意味する。第２留め具は前後方向ｙに平行に設けられる必要はなく、前後方向ｙに対し斜めに設けられていてもよい。第２留め具が前後方向ｙに長い形状であれば、左右ウェスト部が幅広く留められ、左右ウェスト部を着用者の腰回りに安定して固定しやすくなる。第２留め具の形状としては、例えば、直線、長方形、楕円形、角の丸まった長方形、不定形等が挙げられ、所定の幅を有する略直線形状が好ましい。
【００５２】
第２留め具は、右ウェスト部および／または左ウェスト部に、各々複数設けられてもよい。このように第２留め具が設けられることにより、第２留め具の全ての接合が一度には外れにくくなり、左右ウェスト部が着用者の腰回りに安定して固定されやすくなる。第２留め具を左右ウェスト部に各々複数設ける場合の実施態様例は、図２（ａ）〜（ｅ）に示した第１留め具の設置例と同様である。また、第２留め具は、図２（ｆ）に示されるように、右ウェスト部の端部または左ウェスト部の端部の縁に沿って弧を描くように設けられてもよい。
【００５３】
おむつカバーは、右ウェスト部と左ウェスト部が伸縮可能であることが好ましく、おむつカバーを着用の際、右ウェスト部と左ウェスト部が着用者の腸骨陵を覆って、第２留め具により互いに連結されることが好ましい。この際、右ウェスト部と左ウェスト部は、伸張状態で着用者の腸骨陵を覆うように、着用者の腰回りに固定されることが好ましい。その結果、左右ウェスト部により骨盤の両側が覆われて骨盤が固定され、おむつカバーにより、腰痛の原因となる骨盤の開きや歪みが矯正されたり防止されやすくなる。
【００５４】
左右ウェスト部は、左右フラップ部と同程度の伸び率を有することが好ましい。すなわち、左右ウェスト部は、ＪＩＳ  Ｌ  １０１８  ８．１４に規定される伸び率が５％以上が好ましく、１０％以上がより好ましく、６０％以下が好ましく、５０％以下がより好ましい。左右ウェスト部の伸び率が５％〜６０％の範囲にあれば、おむつカバーの装着時の操作性が向上するとともに、左右ウェスト部により骨盤を固定する効果が発揮されやすくなる。伸び率の測定方法等の詳細については、前記説明した通りである。より好ましくは、幅方向ｘの伸び率が３５％〜５０％の範囲にあり、前後方向ｙの伸び率が１５％〜３０％の範囲にある。
【００５５】
後方部は伸縮可能であっても、そうでなくてもよいが、右ウェスト部と左ウェスト部は後方部よりも伸び率が大きいことが好ましい。詳細には、幅方向ｘについての伸び率が、後方部よりも左右ウェスト部の方が大きいことが好ましい。おむつカバーは、着用時、左右フラップ部が後方部かその近辺に固定されることが好ましいことから、後方部が左右ウェスト部よりも伸び率が小さければ、左右フラップ部の第１留め具を後方部かその近辺に固定することで、第１留め具を着用者の背側の所望する位置に固定させることが容易になる。その結果、着用者の腸腰筋が、おむつカバーにより確実に補強されやすくなる。
【００５６】
図１に示すおむつカバーの着用方法の一例について、図３を用いて説明する。図３に示すおむつカバー１は、第２留め具７が右ウェスト部２にのみ設けられており、左右ウェスト部２，３と後方部Ｂが、第１留め具６と第２留め具７が接合可能な材料から構成されている。
【００５７】
おむつカバー１は、後方部Ｂを着用者の背側に当てながら、右ウェスト部２を着用者の右側の腰回りに当て、左ウェスト部３を着用者の左側の腰回りに当てる。次いで、右ウェスト部２を引っ張りながら、右ウェスト部２の第２留め具７Ｒを左ウェスト部３の外面に接合する（図３（ａ），（ｂ）参照）。その結果、左右ウェスト部２，３を着用者の腰回りに固定することができる。次いで、前方部Ｆと左右フラップ部４，５を、着用者の股間を通して着用者の腹側に持ってきて、左右フラップ部４，５を着用者の左右方向に拡張させながら着用者の上方向に引っ張って、左右フラップ部４，５を着用者の背側に固定する（図３（ｂ），（ｃ）参照）。その結果、おむつカバー１を着用することができる。
【００５８】
図４には、図１に示すおむつカバーの着用時の形状を表す。図４（ａ）は着用者の前側から見たおむつカバーを表し、図４（ｂ）は着用者の後側から見たおむつカバーを表す。おむつカバー１は、図４（ｂ）に示されるように、右フラップ部４と左フラップ部５が伸張状態で、第１留め具６が着用者の背側に固定される。そのため、おむつカバー１を着用すると、図４（ａ）に示すように、着用者の前側が左右フラップ部４，５と前側部Ｆとからなる一枚の布で覆われるように見える。従って、おむつカバー１は、着用者の前側から見るとショーツをはいているように見え、見栄えが良い。
【００５９】
左右ウェスト部により着用者の腸骨陵を覆って骨盤を固定しやすくするために、おむつカバーは、右ウェスト部と左ウェスト部の両方を引っ張りながら、着用者の腰回りに固定できる形状を有していることが好ましい。例えば、おむつカバーは、右ウェスト部と左ウェスト部の両方に第２留め具が設けられ、右ウェスト部と左ウェスト部の一方の端部が、他方の端部よりも前後方向の前方に位置することにより、右ウェスト部と左ウェスト部が前後方向にずれて固定可能であってもよい。また、おむつカバーは、右ウェスト部と左ウェスト部の両方に第２留め具が設けられ、右ウェスト部の第２留め具より幅方向内方に左ウェスト部が挿通可能である開口、および／または、左ウェスト部の第２留め具より幅方向内方に右ウェスト部が挿通可能である開口が設けられていてもよい。これらの実施態様について、下記に説明する。なお、下記の説明において、図１〜図３に示した実施態様と重複する部分の説明は省略する。
【００６０】
図５には、右ウェスト部と左ウェスト部の両方に第２留め具が設けられ、右ウェスト部と左ウェスト部の一方の端部が、他方の端部よりも前後方向の前方に位置することにより、右ウェスト部と左ウェスト部が前後方向にずれて固定可能なおむつカバーを示す。
【００６１】
図５に示されるおむつカバー１１は、右ウェスト部１２と左ウェスト部１３の一方の端部が、他方の端部よりも前後方向ｙの前方に位置するように形成されている。図５では、右ウェスト部１２の端部が左ウェスト部１３の端部よりも前後方向ｙの前方に位置している。その結果、おむつカバー１１は、右ウェスト部１２と左ウェスト部１３が前後方向ｙにずれて固定可能となる。そのため、おむつカバー１１は、右ウェスト部１２の端部と左ウェスト部１３の端部を掴みながら、右ウェスト部１２と左ウェスト部１３の両方を着用者の左右方向に引っ張ることができる。その結果、左右ウェスト部１２，１３により腰回りのフィット性を高めることが容易になり、左右ウェスト部１２，１３により骨盤を固定しやすくできる。
【００６２】
おむつカバー１１は、着用時、右ウェスト部１２と左ウェスト部１３と後方部とで着用者の腰回りを覆い、右ウェスト部１２と左ウェスト部１３が着用者の腹側で前後方向ｙにずれて固定される。着用者が起立した状態においては、右ウェスト部１２と左ウェスト部１３が上下方向にずれて固定される。
【００６３】
右ウェスト部１２の幅と左ウェスト部１３の幅は、第２留め具１７の接合を容易にするために、端部に向かって狭くなっていることが好ましい。なお、右ウェスト部１２の幅と左ウェスト部１３の幅とは、前後方向ｙに対する長さを意味する。このように左右ウェスト部１２，１３が形成されていれば、右ウェスト部１２の第２留め具１７Ｒを、左ウェスト部１３の幅方向ｘの内方に位置する部分に接合しやすくなり、左ウェスト部１３の第２留め具１７Ｌを、右ウェスト部１２の幅方向ｘの内方に位置する部分に接合しやすくなる。また、右ウェスト部１２と左ウェスト部１３により着用者の臀部が広く覆われ、おむつカバー１１の着用感が向上する。
【００６４】
左右ウェスト部１２，１３は、例えば、幅方向ｘの端部に形成された外方部と、外方部と後方部との間に形成された内方部とを有し、おむつカバー１１の幅方向ｘの中心線に対し、内方部が左右対称に形成され、外方部が左右非対称に形成されてもよい。このように左右ウェスト部１２，１３が形成されていても、右ウェスト部１２の第２留め具１７Ｒを左ウェスト部１３の内方部に接合しやすくなり、左ウェスト部１３の第２留め具１７Ｌを右ウェスト部１２の内方部に接合しやすくなる。左右ウェスト部の外方部と内方部の幅方向ｘに対する長さの比率は、外方部：内方部＝３：７〜７：３程度が好ましい。
【００６５】
図５に示したおむつカバーの着用方法の一例について、図６を用いて説明する。図６に示すおむつカバー１１は、左右ウェスト部１２，１３と後方部が、第１留め具１６と第２留め具１７が接合可能な材料から構成されている。おむつカバー１１は、後方部を着用者の背側に当てながら、右ウェスト部１２を着用者の右側の腰回りに当て、左ウェスト部１３を着用者の左側の腰回りに当てる。次いで、右ウェスト部１２と左ウェスト部１３の両方を引っ張りながら、右ウェスト部１２の第２留め具１７Ｒを左ウェスト部１３の外面に接合し、左ウェスト部１３の第２留め具１７Ｌを右ウェスト部１２の外面に接合する。この際、右ウェスト部１２と左ウェスト部１３は、前後方向ｙにずらして、着用者の腰回りに固定する（図６（ａ），（ｂ）参照）。次いで、前方部と左右フラップ部１４，１５を、着用者の股間を通して着用者の腹側に持ってきて、左右フラップ部１４，１５を着用者の左右方向に拡張させながら着用者の上方向に引っ張って、左右フラップ部１４，１５を着用者の背側に固定する（図６（ｂ），（ｃ）参照）。その結果、おむつカバー１１を着用することができる。
【００６６】
図７には、右ウェスト部と左ウェスト部の両方に第２留め具が設けられ、右ウェスト部の第２留め具より幅方向内方に、左ウェスト部が挿通可能である開口、および／または、左ウェスト部の第２留め具より幅方向内方に、右ウェスト部が挿通可能である開口が設けられたおむつカバーを示す。
【００６７】
図７に示されるおむつカバー２１は、左ウェスト部２３の第２留め具２７Ｌより幅方向ｘの内方に、右ウェスト部２２が挿通可能である開口２８Ｌが設けられている。また、図７には示されていないが、おむつカバー２１は、右ウェスト部２２の第２留め具２７Ｒより幅方向ｘの内方に、左ウェスト部２３が挿通可能である開口２８Ｒ（図示せず）が設けられてもよい。なお、開口２８Ｒと開口２８Ｌのいずれか、または両方を、開口２８と称する場合がある。右ウェスト部２２に開口２８Ｒが設けられていれば、左ウェスト部２３を開口２８Ｒに挿通することにより、右ウェスト部２２と左ウェスト部２３の両方を引っ張りながら、おむつカバー２１を着用することができる。左ウェスト部２３に開口２８Ｌが設けられていれば、右ウェスト部２２を開口２８Ｌに挿通することにより、右ウェスト部２２と左ウェスト部２３の両方を引っ張りながら、おむつカバー２１を着用することができる。従って、おむつカバー２１は、開口２８Ｒおよび／または開口２８Ｌが設けられることにより、右ウェスト部２２の端部と左ウェスト部２３の端部の両方を引っ張りながら、おむつカバー２１を着用することができる。その結果、左右ウェスト部２２，２３により腰回りのフィット性を高めることが容易になり、左右ウェスト部２２，２３により骨盤を固定しやすくできる。
【００６８】
おむつカバー２１には、開口２８Ｒと開口２８Ｌの少なくとも一方が設けられればよく、開口２８Ｒと開口２８Ｌの両方が設けられてもよい。開口２８Ｒと開口２８Ｌの両方がおむつカバー２１に設けられる場合は、着用者は開口２８Ｒと開口２８Ｌのいずれかに右ウェスト部２２または左ウェスト部２３を挿通しておむつカバー２１を着用でき、おむつカバー２１の着用が容易になる。
【００６９】
開口２８の形状は、右ウェスト部２２または左ウェスト部２３が挿通可能な形状であれば特に限定されないが、前後方向ｙに長い形状であることが好ましい。開口２８が前後方向ｙに長い形状であるとは、開口２８の前後方向ｙの長さが幅方向ｘの長さよりも長いことを意味する。開口２８が前後方向ｙに長い形状であれば、開口２８に右ウェスト部２２または左ウェスト部２３を挿通しやすくなる。
【００７０】
開口２８の形状としては、例えば、直線、長方形、楕円形、角の丸まった長方形、不定形等が挙げられる。例えば、開口２８が直線形状や長方形、楕円形である場合、開口２８は前後方向ｙに平行に設けられる必要はなく、前後方向ｙに対し斜めに設けられていてもよい。開口２８としては、前後方向ｙに長い略直線形状のスリットであることが好ましい。このように開口２８が設けられることにより、右ウェスト部２２や左ウェスト部２３が開口２８周辺で幅の狭い部分が少なくなり、強度低下が低く抑えられ、おむつカバーの取り扱い性が向上する。
【００７１】
開口２８の周囲には、補強材２９が設けられていることが好ましい。開口２８の周囲に補強材２９が設けられることにより、左右ウェスト部２２，２３を幅方向ｘに引っ張った際、おむつカバー２１が開口２８を起点として破断しにくくなる。また、開口２８に右ウェスト部２２または左ウェスト部２３を挿通しやすくなる。
【００７２】
補強材２９は、おむつカバー２１が開口２８を起点として破断しにくくするために、開口２８に最も近い縁が、開口２８の周縁から１０ｍｍ以内（より好ましくは５ｍｍ以内）に位置するように設けられることが好ましい。また、補強材２９は、広い領域で設けすぎても破断抑制効果が高まらず、かえって左右ウェスト部２２，２３の取り扱い性が低下するおそれがあることから、補強材２９は、開口２８から最も遠い縁が開口２８の周縁から５０ｍｍ以内（より好ましくは３０ｍｍ以内）に位置するように設けられることが好ましい。
【００７３】
補強材２９としては、開口２８が設けられる左右ウェスト部２２，２３と同じまたは異なる材料を、開口２８の周囲に取り付けてもよい。また、開口２８の周囲のみ、おむつカバー２１を構成する材料の目付を増やしてもよい。あるいは、補強材２９に相当する部分を、その周囲よりも高強度の材料で構成してもよい。おむつカバー２１の製造容易性の点からは、補強材２９は、左右ウェスト部２２，２３と同じまたは異なる材料を、開口２８の周囲に取り付けることが好ましい。
【００７４】
右ウェスト部２２および左ウェスト部２３の形状は特に限定されないが、右ウェスト部２２に開口２８Ｒが設けられている場合は、左ウェスト部２３の幅がその端部に向かって狭くなっていることが好ましく、左ウェスト部２３に開口２８Ｌが設けられている場合は、右ウェスト部２２の幅がその端部に向かって狭くなっていることが好ましい。すなわち、右ウェスト部２２に開口２８Ｒが設けられているとともに、左ウェスト部２３の幅がその端部に向かって狭くなっている、および／または、左ウェスト部２３に開口２８Ｌが設けられているとともに、右ウェスト部２２の幅がその端部に向かって狭くなっていることが好ましい。このように右ウェスト部２２と左ウェスト部２３が形成されていれば、右ウェスト部２２または左ウェスト部２３を開口に挿通しやすくなる。なお、右ウェスト部２２の幅および左ウェスト部２３の幅とは、前後方向ｙに対する長さを意味する。
【００７５】
図７に示したおむつカバーの着用方法の一例について、図８を用いて説明する。図８に示すおむつカバー２１は、開口２８が左ウェスト部２３にのみ設けられており、左右ウェスト部２２，２３と後方部が、第１留め具２６と第２留め具２７が接合可能な材料から構成されている。
【００７６】
おむつカバー２１は、後方部を着用者の背側に当てながら、右ウェスト部２２を着用者の右側の腰回りに当て、左ウェスト部２３を着用者の左側の腰回りに当てる。次いで、右ウェスト部２２を左ウェスト部２３の開口２８Ｌに挿通し、右ウェスト部２２と左ウェスト部２３の両方を引っ張りながら、右ウェスト部２２の第２留め具２７Ｒを左ウェスト部２３の外面に接合し、左ウェスト部２３の第２留め具２７Ｌを右ウェスト部２２の外面に接合する（図８（ａ），（ｂ）参照）。その結果、左右ウェスト部２２，２３を着用者の腰回りに固定することができる。次いで、前方部と左右フラップ部２４，２５を、着用者の股間を通して着用者の腹側に持ってきて、左右フラップ部２４，２５を着用者の左右方向に拡張させながら着用者の上方向に引っ張って、左右フラップ部２４，２５を着用者の背側に固定する（図８（ｂ），（ｃ）参照）。その結果、おむつカバー２１を着用することができる。
【００７７】
おむつカバーを構成する材料は特に限定されない。おむつカバーを構成する材料としては、不織布、織布、編布、プラスチックフィルム、およびこれらの積層体等を使用できる。おむつカバーを構成する材料として不織布、織布、編布等の布材料を用いる場合、布材料を構成する繊維としては、例えば、ポリプロピレン、ポリエチレン、ポリエステル、ポリアミド、ポリウレタン等の合成繊維、パルプ、絹等の天然繊維を用いればよい。おむつカバーを構成する材料としてプラスチックフィルムを用いる場合は、例えば、ポリプロピレン、ポリエチレン、ポリエステル、ポリアミド、ポリウレタン等の合成樹脂を用いればよい。おむつカバーは、液透過性であっても、液不透過性であってもよい。
【００７８】
おむつカバーの伸縮可能な部分（以下、「伸縮可能部」と称する場合がある）は、伸縮材料から形成されてもよい。伸縮材料としては、天然ゴム；スチレン−ブタジエン共重合体、ポリイソブチレン等の合成ゴム；ポリウレタン、ポリエーテル・ポリエステル、ポリブチレンテレフタレート、ポリトリメチレンテレフタレート等の合成樹脂等を用いることができる。伸縮材料を含む繊維を用いて、不織布、織布、編布等に形成し、伸縮可能部に用いてもよい。また、伸縮材料をフィルム状に形成し、伸縮可能部に用いてもよい。
【００７９】
伸縮可能部は、非伸縮材料から形成されてもよい。この場合、非伸縮材料から形成された繊維を織布、編布等に形成し、織布の織り方または編布の編み方により、織布や編布に伸縮性を付与してもよい。
【００８０】
伸縮可能部は、伸縮材料と非伸縮材料とから形成されてもよい。この場合、非伸縮性材料から形成された非伸縮な部分（以下、「非伸縮部分」と称する場合がある）に、弾性部材等の伸縮材料が取り付けられてもよい。伸縮材料は伸張状態で非伸縮部分に取り付けられることが好ましい。また、伸縮材料から形成された繊維と非伸縮材料から形成された繊維とを用いて、あるいは伸縮材料と非伸縮材料とから形成された複合繊維を用いて、不織布、織布、編布等に形成し、伸縮部に用いてもよい。
【００８１】
おむつカバーは、通気性を確保して、着用時の蒸れを低減する点から、不織布、織布、編布等から構成されることが好ましい。より好ましくは、第１留め具と第２留め具を除きおむつカバー全体が不織布、織布、編布等から構成される。この場合、第１留め具と第２留め具はフックファスナーを用いることが好ましい。
【００８２】
おむつカバーが幅方向と前後方向で異なる伸び率を有する場合、おむつカバーは織布から構成されることが好ましい。この場合、織布の経糸と緯糸とで使用する糸を変えることにより、幅方向と前後方向で伸び率の差を出せばよい。例えば、経糸と緯糸とで繊度を変えたり、素材を変えたり、織りの密度を変えればよい。織布を構成する糸としては、ポリウレタン糸を用いることが好ましい。また、ポリウレタン糸を含む織布の肌触りを改善するために、織布を構成する糸としては、ポリウレタン糸を含む複合糸を用いることがより好ましい。例えば、ポリウレタン糸と綿等の天然繊維との複合糸を用いることが好ましく、ポリウレタン糸が綿等の天然繊維で被覆されたコアスパンヤーンを用いることがより好ましい。
【符号の説明】
【００８３】
１，１１，２１：  おむつカバー
２，１２，２２：  右ウェスト部
３，１３，２３：  左ウェスト部
４，１４，２４：  右フラップ部
５，１５，２５：  左フラップ部
６，１６，２６：  第１留め具
７，１７，２７：  第２留め具
【図１】
2011200636.tif 000003
【図２】
2011200636.tif 000004
【図３】
2011200636.tif 000005
【図４】
2011200636.tif 000006
【図５】
2011200636.tif 000007
【図６】
2011200636.tif 000008
【図７】
2011200636.tif 000009
【図８】
2011200636.tif 000010